(57)【要約】【課題】　像担持体と現像ユニットとを支持する引出体を、画像形成装置本体内に出し入れ自在に収納する方式の画像形成装置にあって、メンテナンス時に引出体を引き出したとき、像担持体が現像器の現像ローラに接触することを防ぎ、像担持体の表面に傷が付くことを防止する。【解決手段】　画像を形成する像担持体１２と、中心軸３１を中心として回転して複数の現像器の１つを像担持体１２と対向し、トナーを付着して該像担持体１２上の潜像を可視像化する回転型現像ユニット１４と、その現像ユニットと像担持体１２とを支持して装置本体１０内に出し入れ自在に収納する引出体５７と、その引出体を装置本体１０内から引き出したとき像担持体１２と現像ユニット１４の現像器とを離間位置とする一方、装置本体１０内に押し込んだときそれらを対向位置に戻す離間機構とを備える。【選択図】　　　　図６　　
2004013177.tif 000002
【特許請求の範囲】
【請求項１】
画像を形成する像担持体と、
　複数の現像器を中心軸まわりに有し、その中心軸を中心として回転して前記複数の現像器の１つを前記像担持体と対向し、トナーを付着して該像担持体上の潜像を可視像化する回転型現像ユニットと、
　その現像ユニットと前記像担持体とを支持して画像形成装置本体内に出し入れ自在に収納する引出体と、
　その引出体を前記画像形成装置本体内から引き出したとき前記像担持体と前記現像ユニットの現像器とを離間位置とする一方、前記画像形成装置本体内に押し込んだときそれらを再び対向位置に戻す離間機構と、
　を備えてなる、画像形成装置。
【請求項２】
前記離間機構が、前記引出体を前記画像形成装置本体内から引き出したとき、前記像担持体に対して前記現像ユニット側を引き離すものである、請求項１に記載の画像形成装置。
【請求項３】
前記引出体に長孔を形成してその長孔に前記現像ユニットの中心軸を挿入し、前記引出体を前記画像形成装置本体内から引き出したとき前記長孔の一方の孔縁側に、前記画像形成装置本体内に押し込んだときは他方の孔縁側に移動してなる、請求項２に記載の画像形成装置。
【請求項４】
前記離間機構が、前記引出体を前記画像形成装置本体内から引き出したとき、前記現像ユニットに対して前記像担持体側を引き離すものである、請求項１に記載の画像形成装置。
【請求項５】
前記現像ユニットに対して前記像担持体側を引き離す方向に付勢する弾性部材を設け、前記画像形成装置本体内に押し込んだときは該弾性部材に抗して前記像担持体と前記現像ユニットの現像器とを対向位置としてなる、請求項４に記載の画像形成装置。
【請求項６】
前記離間機構が、前記引出体の引き出し動作に連動して前記像担持体と前記現像ユニットのいずれか一方を他方に対して引き離すカム手段である、請求項１、２、または４に記載の画像形成装置。
　
【発明の詳細な説明】
【技術分野】
【０００１】
　この発明は、複写機・プリンタ・ファクシミリやそれらの複合機など、像担持体上に繰返し画像を形成し、その画像を転写して用紙等の記録媒体に順次記録を行う画像形成装置に適用し得る。詳しくは、そのうち、複数の現像器を中心軸まわりに有する現像ユニットを用い、その中心軸を中心として回転して複数の現像器の１つを像担持体に対向し、その現像器でトナーを付着して該像担持体上の潜像を可視像化するタイプの画像形成装置に関する。
【背景技術】
【０００２】
　この種の画像形成装置では、剛性を確保して精度を向上すべく、現像ユニットを画像形成装置本体内に組付けていた。しかし、このような構成では、メンテナンス性に劣り、量産時の組立性も悪かった。
【０００３】
　そこで、従来の複写機の中には、像担持体と現像ユニットとを引出体で支持し、その引出体を画像形成装置本体内に出し入れ自在に収納し、メンテナンス性を良くし、量産時の組立性を高めたものがある。
【発明の開示】
【発明が解決しようとする課題】
【０００４】
　ところが、このような従来の画像形成装置では、メンテナンス時に装置本体から引出体を引き出したとき、像担持体と現像ユニットとがともにフリーな状態となり、１mm以下のギャップを介して対向する像担持体と現像器の現像ローラとが接触して像担持体の表面に傷を付けるおそれがあった。
【０００５】
　そこで、この発明の目的は、像担持体と現像ユニットとを引出体で支持し、その引出体を画像形成装置本体内に出し入れ自在に収納する方式の画像形成装置にあって、メンテナンス時に引出体を引き出したとき、像担持体が現像器の現像ローラに接触することを防いで、像担持体の表面に傷が付くことを防止することにある。
【課題を解決するための手段】
【０００６】
　そのため、請求項１に記載の発明は、複写機・プリンタ・ファクシミリやそれらの複合機などの画像形成装置において、たとえば以下の図面を用いて説明する実施の形態のとおり、
　画像を形成する像担持体１２と、
　複数の現像器２２Ａ・２２Ｂ・２２Ｃ・２２Ｄを中心軸３１まわりに有し、その中心軸３１を中心として回転して前記複数の現像器２２Ａ・２２Ｂ・２２Ｃ・２２Ｄの１つを前記像担持体１２と対向し、トナーを付着して該像担持体１２上の潜像を可視像化する回転型現像ユニット１４と、
　その現像ユニット１４と前記像担持体１２とを支持して画像形成装置本体１０内に出し入れ自在に収納する引出体５７と、
　その引出体５７を前記画像形成装置本体１０内から引き出したとき前記像担持体１２と前記現像ユニット１４の現像器２２Ａ・２２Ｂ・２２Ｃ・２２Ｄとを離間位置とする一方、前記画像形成装置本体１０内に押し込んだときそれらを再び対向位置に戻す離間機構１００と、
　を備えてなる、ことを特徴とする。
【０００７】
　そして、この請求項１に記載の発明では、メンテナンス時に引出体５７を画像形成装置本体１０内から引き出したとき、離間機構１００で、像担持体１２と回転型現像ユニット１４の現像器２２Ａ・２２Ｂ・２２Ｃ・２２Ｄとを離間位置とする。メンテナンス後、該引出体５７を画像形成装置本体１０内に押し込んだときは、同離間機構１００で、それらを再び対向位置に戻す。
【０００８】
　請求項２に記載の発明は、請求項１に記載の画像形成装置において、たとえば以下の図１ないし図１４を用いて説明する実施の形態のとおり、前記離間機構１００が、前記引出体５７を前記画像形成装置本体１０内から引き出したとき、前記像担持体１２に対して前記現像ユニット１４側を引き離すものである、ことを特徴とする。
【０００９】
　そして、この請求項２に記載の発明では、メンテナンス時に引出体５７を引き出したとき、離間機構１００で、像担持体１２に対して現像ユニット１４側を引き離して離間位置とする。メンテナンス後、引出体５７を画像形成装置本体１０内に押し込んだときは、離間機構１００で、像担持体１２に対して現像ユニット１４側を近付けて再び対向位置に戻す。
【００１０】
　請求項３に記載の発明は、請求項２に記載の画像形成装置において、たとえば以下の図１ないし図１４を用いて説明する実施の形態のとおり、前記引出体５７に長孔５８ｂを形成してその長孔５８ｂに前記現像ユニット１４の中心軸３１を挿入し、前記引出体５７を前記画像形成装置本体１０内から引き出したとき前記長孔５８ｂの一方の孔縁側に、前記画像形成装置本体１０内に押し込んだときは他方の孔縁側に移動してなる、ことを特徴とする。
【００１１】
　そして、この請求項３に記載の発明では、メンテナンス時に引出体５７を引き出したとき、現像ユニット１４の中心軸３１を長孔５８ｂの一方の孔縁側に移動し、像担持体１２に対して現像ユニット１４側を引き離して離間位置とする。メンテナンス後、引出体５７を画像形成装置本体１０内に押し込んだときは、他方の孔縁側に移動し、像担持体１２に対して現像ユニット１４側を近付けて再び対向位置に戻す。
【００１２】
　請求項４に記載の発明は、請求項１に記載の画像形成装置において、たとえば以下の図１５ないし図１７を用いて説明する実施の形態のとおり、前記離間機構１００が、前記引出体５７を前記画像形成装置本体１０内から引き出したとき、前記現像ユニット１４に対して前記像担持体１２側を引き離すものである、ことを特徴とする。
【００１３】
　そして、この請求項４に記載の発明では、メンテナンス時に引出体５７を引き出したとき、離間機構１００で、現像ユニット１４に対して像担持体１２側を引き離して離間位置とする。メンテナンス後、引出体５７を画像形成装置本体１０内に押し込んだときは、離間機構１００で、現像ユニット１４に対して像担持体１２側を近付けて再び対向位置に戻す。
【００１４】
　請求項５に記載の発明は、請求項４に記載の画像形成装置において、たとえば以下の図１５および図１６を用いて説明する実施の形態のとおり、前記現像ユニット１４に対して前記像担持体１２側を引き離す方向に付勢する弾性部材９４を設け、前記画像形成装置本体１０内に押し込んだときは該弾性部材９４に抗して前記像担持体１２と前記現像ユニット１４の現像器２２Ａ・２２Ｂ・２２Ｃ・２２Ｄとを対向位置としてなる、ことを特徴とする。
【００１５】
　そして、この請求項５に記載の発明では、メンテナンス時に引出体５７を引き出したとき、弾性部材９４の付勢力で像担持体１２を移動して現像ユニット１４に対して像担持体１２側を引き離して離間位置とする。メンテナンス後、引出体５７を画像形成装置本体１０内に押し込んだときは、弾性部材９４に抗して像担持体１２を移動して再び対向位置に戻す。
【００１６】
　請求項６に記載の発明は、請求項１、２、または４に記載の画像形成装置において、たとえば以下の図１７を用いて説明する実施の形態のとおり、前記離間機構１００が、前記引出体５７の引き出し動作に連動して前記像担持体１２と前記現像ユニット１４のいずれか一方を他方に対して引き離すカム手段である、ことを特徴とする。
【００１７】
　そして、この請求項６に記載の発明では、メンテナンス時に引出体５７を引き出したとき、離間機構１００として設けるカム手段で、その引出体５７の引き出し動作に連動して像担持体１２と現像ユニット１４のいずれか一方を他方に対して引き離して離間位置とする。メンテナンス後、引出体５７を画像形成装置本体１０内に押し込んだときは、同カム手段で、その引出体５７の押し込み動作に連動して像担持体１２と現像ユニット１４のいずれか一方を他方に対して近付けて再び対向位置に戻す。
【発明の効果】
【００１８】
　したがって、請求項１ないし６に記載の発明によれば、メンテナンス時に装置本体から引出体を引き出したとき、離間機構で、像担持体と回転型現像ユニットの現像器とを離間位置とするから、現像器の現像ローラに接触することなく、像担持体を取り出すことが可能となり、引出体から取り出すとき像担持体の表面に傷が付くおそれをなくすことができる。
【００１９】
　メンテナンス後は、引出体を装置本体内に押し込むことにより、それらを再び対向位置に容易に戻すことができる。
【発明を実施するための最良の形態】
【００２０】
　以下、図面を参照しつつ、この発明の実施の形態につき説明する。
　図１は、この発明によるカラー複写機であり、その内部機構の全体概略構成を示す。図中符号１０は、複写機装置本体である。
【００２１】
　この装置本体１０には、その外装ケース１１内の上部中央やや右寄りに、ドラム状の像担持体１２を前後に向けて備える。像担持体１２のまわりには、その上に設ける帯電器１３から図中矢示する回転方向（反時計方向）に順に、回転型現像ユニット１４、中間転写器１５、クリーニング前除電器１６ａ・クリーニング器１６、帯電前除電器１３ａを設ける。それら帯電器１３・現像ユニット１４・クリーニング器１６・帯電前除電器１３ａの上には、レーザ書込み器１８を備える。
【００２２】
　回転型現像ユニット１４は、図２に示すように、現像支持体２０で連結する前後の側板２１間で、イエロ・マゼンタ・シアン・ブラックの各色のトナーを収納する現像器２２Ａ・２２Ｂ・２２Ｃ・２２Ｄを支持するとともに、それらに対応して同色のトナーを収納するトナーカートリッジ２３Ａ・２３Ｂ・２３Ｃ・２３Ｄを支持する。
【００２３】
　各色の現像器２２Ａ・２２Ｂ・２２Ｃ・２２Ｄは、それぞれ現像ケース２４内に、現像ローラ２５・第１搬送スクリュ２６・第２搬送スクリュ２７・現像ドクタ２８を収納してなる。そして、第２搬送スクリュ２７から第１搬送スクリュ２６に、第１搬送スクリュ２６から現像ローラ２５にトナーを搬送し、現像ローラ２５に付着したトナーを現像ドクタ２８で薄層化する。
【００２４】
　各色のトナーカートリッジ２３Ａ・２３Ｂ・２３Ｃ・２３Ｄは、それぞれカートリッジガイド２９に着脱自在に取り付ける。カートリッジガイド２９には、トナー補給スクリュ３０を設ける。そして、各トナーカートリッジ内のトナーを該トナー補給スクリュ３０で、それぞれ個別に、対応する現像ケース２４内に補給する。
【００２５】
　そうして、このように構成した現像ユニット１４は、現像支持体２０の中心に設ける中心軸３１まわりに回動して、各色の現像器２２Ａ・２２Ｂ・２２Ｃ・２２Ｄの現像ローラ２５を、適宜選択的に像担持体１２の外周に対向できるようにする。
【００２６】
　次に、中間転写器１５は、図１に示すように、複数のローラ３３にエンドレスの転写ベルト３４を掛け渡し、その一部を像担持体１２に接触する。転写ベルト３４の外周には、転写器３５とベルトクリーニング器３６とベルト除電器３７を設ける。ベルトクリーニング器３６は、転写ベルト３４に対して適宜接離自在とする。
【００２７】
　レーザ書込み器１８は、光学読取り器３８による読取り内容に応じてレーザ光Ｌを照射して書込みを行い、像担持体１２上に静電潜像を形成する。光学読取り器３８は、装置本体１０の上面に備えるコンタクトガラス３９上にセットした原稿の内容を読み取る。
【００２８】
　また、図１中符号４０は、図中右から左へと用紙等の記録媒体を搬送する記録媒体搬送路である。記録媒体搬送路４０には、対向する中間転写器１５と転写器３５の手前に複数対の搬送ローラ対４１、レジストローラ対４２を備え、後に搬送ベルト４３、定着器４４、排紙ローラ対４５を備える。
【００２９】
　図示省略するが、装置本体１０は、たとえば給紙装置上に載置する。そして、その給紙装置から送り出した記録媒体を、装置本体１０内の自動給紙路４７を通して記録媒体搬送路４０へと導く。また、装置本体１０の右側面には、手差しトレイ４８を開閉自在に備える。そして、その手差しトレイ４８で案内して挿入した記録媒体を、装置本体１０内の手差し給紙路４９を通して記録媒体搬送路４０へと導く。反対に、装置本体１０の左側面には、排紙トレイ５０を着脱自在に取り付ける。そして、記録媒体搬送路４０を通して排紙ローラ対４５で排出した記録媒体をその排紙トレイ５０で受ける。
【００３０】
　さていま、このカラー複写機を用いてカラーコピーを取るときには、通常通り、コンタクトガラス３９上に原稿をセットし、図示しないスタートスイッチを押す。すると、給紙装置から送り出した記録媒体を自動給紙路４７を通して記録媒体搬送路４０へと導き、または手差しトレイ４８上にセットした記録媒体を手差し給紙路４９を通して記録媒体搬送路４０へと導き、搬送ローラ対４１で搬送してレジストローラ対４２に突き当てて止める。
【００３１】
　同時に、光学読取り器３８を作動して原稿面に沿って走査し、コンタクトガラス３９上にセットした原稿の内容を読み取る。また、像担持体１２を図中反時計方向に回転するとともに、複数のローラ３３の回転で転写ベルト３４を時計方向に搬送する。そして、像担持体１２の回転にともない、まずその表面を帯電器１３で一様に帯電し、次いで光学読取り器３８の読取り内容に応じてレーザ書込み器１８でレーザ光Ｌを照射し、第１色目の書込みを行って像担持体１２上に第１色目の静電潜像を形成する。
【００３２】
　それから、像担持体１２の回転にともない、現像ユニット１４の第１色目の現像器２２Ａでトナーを付着してその静電潜像を可視像化し、第１色目の画像を形成してその画像を中間転写器１５の転写ベルト３４上に転写する。転写後の像担持体１２表面は、クリーニング前除電器１６ａで除電して後、第１色目の残留トナーをクリーニング器１６で除去し、帯電前除電器１３ａで除電する。
【００３３】
　その後、同様に像担持体１２の回転にともない、一様に帯電し、第２色目の書込みを行い、現像ユニット１４を回転して像担持体１２に対向した第２色目の現像器２２Ｂを用いて現像し、像担持体１２上に形成した第２色目の画像を転写ベルト３４上に第１色目の画像に重ねて転写する。同じく、転写後の像担持体１２表面は、除電して後、クリーニングし、再び除電する。
【００３４】
　第３色目の画像も同様に像担持体１２上に形成して転写ベルト３４上に転写し、また必要があればブラックの画像も同様に像担持体１２上に形成して転写ベルト３４上に転写し、結局転写ベルト３４上に原稿内容に応じた合成カラー画像を形成する。
【００３５】
　この後、転写ベルト３４の搬送にタイミングを合わせてレジストローラ対４２を回転し、レジストローラ対４２に突き当てていた前述の記録媒体を中間転写器１５と転写器３５間に送り込む。そして、転写器３５で、転写ベルト３４上のカラー画像を該記録媒体上に転写する。その後、カラー画像転写後の記録媒体を搬送ベルト４３で搬送して定着器４４に入れ、ローラ間で熱と圧力を加えて転写画像を定着する。定着後、排紙ローラ４５で排出して排紙トレイ５０上に順次スタックする。
【００３６】
　一方、カラー画像転写後の転写ベルト３４表面は、適宜タイミングでその転写ベルト３４に押し当てたベルトクリーニング器３６で残留トナーを除去し、除電器３７で除電する。
【００３７】
　ところで、以上説明したカラー複写機では、図３に示すように、上述した像担持体１２をユニットケース５２で回転自在に支持するとともに、その像担持体１２まわりに設ける上述した帯電器１３とクリーニング器１６と２つの除電器１６ａ・１３ａも同ユニットケース５２で支持してまとめてユニット化し、像担持体ユニット５３を構成してなる。
【００３８】
　ユニットケース５２は、ＡＢＳ樹脂からなる天板５４の前後に指掛け凹部５４ａを形成するとともに、両側を庇状に突出して片側には凹部５４ｃを形成してなる。また、前側板５５には、ドラム軸挿入孔５５ａと抜き差し孔５５ｂをあけ、ドラム軸挿入孔５５ａには像担持体１２を支持する後述のドラム軸を挿入し、その上の抜き差し孔５５ｂには帯電器１３を抜き差し自在に挿入する。
【００３９】
　そして、このような像担持体ユニット５３は、現像ユニット１４とともに、図４に示すように引出体５７内に取り出し可能に収納する。
【００４０】
　引出体５７には、前後に設ける板金製側板５８の上部片側間に掛け渡してユニット載置杆５９を、上部中央間に掛け渡してユニット載置杆６０を互いに平行に設ける。一方のユニット載置杆５９には、内向きに突出して載置突起５９ａを設けるとともに、上向きに突出してガイド片５９ｂを設ける。他方のユニット載置杆６０には、両端を残して大きな幅の逃げ凹部６０ａを設けて全幅に渡り内向きに突出して載置突部６０ｂを形成する。
【００４１】
　そして、引出体５７内に像担持体ユニット５３を入れ、ガイド片５９ｂで天板５４を案内しながらその天板５４の両側を、図５にも示すようにユニット載置杆５９の載置突起５９ａとユニット載置杆６０の載置突部６０ｂ上に乗せ、引出体５７内に像担持体ユニット５３を取り出し可能に収納する。なお、図５中符号６１で示すものは、前後の側板５８を連結すべく左右上下に設ける複数のステーの一部である。
【００４２】
　この引出体５７の前側板５８には、図示省略するが、ホルダ孔をあける。そして、そのホルダ孔には、図６中鎖線で示すように後でドラム軸ホルダ６３を挿入する。そして、そのドラム軸ホルダ６３のドラム軸６４を前述のドラム軸挿入孔５５ａに入れ、それで像担持体１２を回転自在に支持するとともに、該ドラム軸ホルダ６３で保持するコイルばね６５で押して像担持体ユニット５３を引出体５７内の後方に寄せる。
【００４３】
　さて、そのような引出体５７の両側に設けるステー６１には、図７（Ａ）に示すように、間隔をあけて下向きの切欠き６１ａを設ける。一方、装置本体１０側のスライドレール６７には、同じく図７（Ａ）に示すように、同じ間隔をあけて、細径の首部を有する掛止突起６７ａを設ける。
【００４４】
　そして、図７（Ｂ）に示すように、切欠き６１ａ内に掛止突起６７ａの首部を入れてスライドレール６７にステー６１を掛け止め、図６に示すように、装置本体１０内で左右に対向して設ける２つのスライドレール６７間に引出体５７を取り付け、図中矢示する方向に引き出し自在に装置本体１０内に収納する。
【００４５】
　スライドレール６７は、長さ５００mmほどで、図６に示すとおり、装置本体１０内に平行に設ける固定レール６８にそれぞれスライド自在に取り付ける。固定レール６８は、各々レール取付板７１に取り付ける。レール取付板７１は、装置本体１０の前後の側板７０で支持する。これにより、引出体５７を６５０mmほどスライド可能に支持する。前側板７０には基準ピン７２を立て、後側板７０には軸受７３・７４を取り付ける。軸受７３は、駆動歯車７５を取り付けたドラム軸７６を保持する。駆動歯車７５には、伝達歯車７７・７８が噛み合う。
【００４６】
　そして、引出体５７を装置本体１０内に押し込むと、該引出体５７の前側板５８の位置決め基準孔５８ａに基準ピン７２が入り込み、該引出体５７を位置決めする。また、ドラム軸７６が引出体５７の後側板５８で保持する軸受７９を通して像担持体１２に係合し、そのドラム軸７６と前述のドラム軸６４とで像担持体１２を回転自在に支持するようにする。
【００４７】
　他方、現像ユニット１４の中心軸３１が軸受７４を貫通し、その軸受７４と、引出体５７の前側板５８で保持する軸受８１とで現像ユニット１４を回転自在に保持する。なお、図６中符号８２は、現像ユニット１４のノブである。
【００４８】
　次いで、引出体５７を装置本体１０内に押し込み後、図８に示す２つの固定ねじ８４で引出体５７の前側板５８を装置本体１０の前側板７０に固定する。なお、この図８から判るとおり、基準ピン７２が入り込む前側板５８の位置決め基準孔は、一方が長孔５８ａ、他方は丸孔となっている。また、図８中符号８６は、帯電器１３を挿入する挿入孔である。引出体５７を装置本体１０内に押し込む前に、帯電器１３をその挿入孔８６から前述したユニットケース５２の前側板５５の抜き差し孔５５ｂを通して像担持体ユニット５３内に入れる。
【００４９】
　固定ねじ８４で固定して後、引出体５７の前側板５８と装置本体１０の前側板７０間に掛け渡して面板８７を取り付け、４つの取付ねじ８８で固定する。そして、この後、面板８７のホルダ挿入孔から引出体５７の前側板５８のホルダ孔を通して、前述したドラム軸ホルダ６３を挿入する。
【００５０】
　さて、以上説明したようなカラー複写機において、いま、像担持体ユニット５３を取り外す必要が生じたときは、まず図８に示すドラム軸ホルダ６３を外してから４つの取付ねじ８８を外して面板８７を取り外す。次に、２つの固定ねじ８４を外して引出体５７を図６中矢示方向に引き出し、図示省略したコネクタを外して装置本体１０側との電気的な接続を断つとともに、不図示の止め具を外して帯電器１３を引き抜く。その後、ユニットケース５２の天板５４に設けた前後の指掛け凹部５４ａに指を掛けて、図９に示すように像担持体ユニット５３を持ち上げる。
【００５１】
　現像ユニット１４を取り出すときも、引き出した引出体５７のまわりに立って、無理な姿勢を取ることなく、容易に取り出すことができる。
【００５２】
　ところで、図示カラー複写機では、引出体５７の後側板５８に、図１０に示すように斜めの長孔５８ｂをあけ、その長孔５８ｂに、孔内を上下動自在に軸受９０をはめ込み、その軸受９０に現像ユニット１４の中心軸３１を貫通して離間機構１００を設ける。
【００５３】
　そして、引出体５７を装置本体１０から引き出したとき、図１０中鎖線で示すごとく、中心軸３１が貫通する軸受９０が重力で長孔５８ｂの下方の孔縁側に移動し、現像ユニット１４の後側を軸受９０を介して後側板５８で受けるようにする。この状態では、像担持体１２に対して現像ユニット１４を引き離し、像担持体１２と現像ユニット１４の現像器２２Ａ・２２Ｂ・２２Ｃ・２２Ｄとを離間位置とする。
【００５４】
　そこで、図１１に示すように、引出体５７を引き出してから、たとえば像担持体ユニット５３を取り出すとき、像担持体１２が現像ユニット１４の現像器２２Ａ・２２Ｂ・２２Ｃ・２２Ｄに触れることなく、像担持体１２の表面に傷を付けるおそれがない。
【００５５】
　そして、像担持体ユニット５３を上下反転して天板５４を下にして図１２に示すようにたとえば机上に乗せ、２本のねじ９２・９２を外して図１３に示すように、ともに分割可能な前後の側板５５の上半分を開き、像担持体１２の取り出しを可能とする。また、図１４に示すように、別の２本のねじ９３・９３を外すことにより、クリーニング器１６の取り外しも可能とする。
【００５６】
　ところが、反対に引出体５７を装置本体１０内に押し込んだときは、図６で示す中心軸３１の先細の先端が後側板７０の軸受７４に入り込むにつれて芯出しして中心軸３１が持ち上げられ、完全に押し込んだ状態では図１０中実線で示すごとく中心軸３１が貫通する軸受９０が長孔５８ｂの上方の孔縁側に移動し、現像ユニット１４の後側を軸受７４を介して装置本体１０の後側板７０で受けるようにする。
【００５７】
　この状態では、現像ユニット１４を水平方向に距離ａ動かして像担持体１２に対して現像ユニット１４側を近付け、像担持体１２と現像ユニット１４の現像器２２Ａ・２２Ｂ・２２Ｃ・２２Ｄとを対向位置とする。
【００５８】
　さて、上述した図示カラー複写機では、引出体５７を装置本体１０内から引き出したとき、像担持体１２に対して現像ユニット１４側を引き離す離間機構１００を設けた。しかし、反対に現像ユニット１４に対して像担持体１２側を引き離す離間機構１００を設けてもよい。
【００５９】
　たとえば図１５に示すように、上述したユニット載置杆５９の後方寄りにねじ９３で板ばね状弾性部材９４を取り付けて離間機構１００を設ける。そして、図１６に示すように、その弾性部材９４上に天板５４の片側を乗せて像担持体ユニット５３をユニット載置杆５９で支持する。
【００６０】
　そして、メンテナンス時に引出体５７を装置本体１０から引き出したとき、弾性部材９４で付勢して像担持体ユニット５３を持ち上げ、現像ユニット１４に対して像担持体ユニット５３を引き離し、像担持体１２と現像ユニット１４の現像器２２Ａ・２２Ｂ・２２Ｃ・２２Ｄとを離間位置とする。
【００６１】
　ところが、メンテナンス後、反対に引出体５７を装置本体１０内に押し込んだときは、図６で示すドラム軸７６の先細の先端が引出体５７の後側板５８の軸受７９を通して像担持体１２に係合するにつれて芯出しして弾性部材９４に抗して像担持体ユニット５３を引き下げ、現像ユニット１４に対して像担持体１２側を近付け、像担持体１２と現像ユニット１４の現像器２２Ａ・２２Ｂ・２２Ｃ・２２Ｄとを対向位置とする。
【００６２】
　また、たとえば図１７に示すように、離間機構１００として、像担持体ユニット５３の天板５４にカム溝９５・９６を形成する一方、装置本体１０の前側板７０にその一方のカム溝９５に係合するピン９７とともに装置本体１０の後側板７０に他方のカム溝９６に係合する図示しないピンを取り付け、引出体５７の引き出し動作に連動して現像ユニット１４に対して像担持体ユニット５３を引き離すカム手段を設ける。
【００６３】
　そして、メンテナンス時に引出体５７を引き出したとき、その引き出し動作に連動してカム溝９５とピン９７、およびカム溝９６と不図示のピンとの係合により案内し、現像ユニット１４に対して像担持体１２側を引き離し、像担持体１２と現像ユニット１４の現像器２２Ａ・２２Ｂ・２２Ｃ・２２Ｄとを離間位置とする。
【００６４】
　ところが、メンテナンス後、反対に引出体５７を装置本体１０内に押し込んだときは、その押し込み動作に連動してカム溝９５とピン９７、およびカム溝９６と不図示のピンとの係合により案内し、現像ユニット１４に対して像担持体１２側を近付け、像担持体１２と現像ユニット１４の現像器２２Ａ・２２Ｂ・２２Ｃ・２２Ｄとを対向位置とする。
【００６５】
　なお、ピン９７の先にコロを取り付けてそのコロをカム溝９５・９６内に入れるようにすると、引出体５７の出し入れ時の抵抗を小さくすることができる。また、上述した例では、離間機構１００として設けるカム手段で、像担持体ユニット５３側を移動したが、もちろんカム手段で像担持体ユニット５３側ではなく、現像ユニット１４側を移動するようにしてもよい。
【図面の簡単な説明】
【００６６】
【図１】請求項１ないし３に記載の発明にかかるカラー複写機における内部機構の全体概略構成図である。
【図２】そのカラー複写機で用いる現像ユニットの構成を示す説明正面図である。
【図３】そのカラー複写機で用いる像担持体ユニットの概略斜視図である。
【図４】そのカラー複写機で用いる引出体への像担持体ユニットの挿入状態を説明する概略平面図である。
【図５】同部分概略縦断面図である。
【図６】その引出体の装置本体への収納状態を説明する概略平面図である。
【図７】（Ａ）は該引出体のスライドレールへの掛け止め前、（Ｂ）は掛止後を示す説明図である。
【図８】該引出体の前側板に面板を取り付けて固定した状態を示す上記カラー複写機内部の部分正面図である。
【図９】該引出体を完全に引き出した状態での像担持体ユニットの取り出しを説明する概略説明図である。
【図１０】該引出体の後側板に設ける長孔部分の構成図である。
【図１１】該引出体を引き出して像担持体ユニットを取り出し状態を示す概略斜視図である。
【図１２】像担持体ユニットを上下反転してたとえば机上に乗せた状態を示す斜視図である。
【図１３】その像担持体ユニットから像担持体を取り外す状態を示す斜視図である。
【図１４】その像担持体ユニットからさらにクリーニング器を取り外した状態を示す斜視図である。
【図１５】請求項４および５に記載の発明で用いる離間機構を説明する、弾性部材を取り付けたユニット載置杆の部分斜視図である。
【図１６】そのユニット載置杆上に像担持体ユニットを取り付ける状態を示す説明図である。
【図１７】請求項６に記載の発明で用いる離間機構を説明する、像担持体まわりの斜視図である。
【符号の説明】
【００６７】
　１０　装置本体
　１２　像担持体
　１４　回転型現像ユニット
　２２Ａ・２２Ｂ・２２Ｃ・２２Ｄ　現像器
　３１　中心軸
　５３　像担持体ユニット
　５４　天板
　５７　引出体
　５８　引出体の前後の側板
　５８ｂ　長孔
　５９　ユニット載置杆
　７０　装置本体の前後の側板
　７４　軸受
　７６　ドラム軸
　７９　軸受
　９０　軸受
　９４　弾性部材
　９５・９６　カム溝
　９７　ピン
　１００　離間機構
　
【図１】
2004013177.tif 000003
【図２】
2004013177.tif 000004
【図３】
2004013177.tif 000005
【図４】
2004013177.tif 000006
【図５】
2004013177.tif 000007
【図６】
2004013177.tif 000008
【図７】
2004013177.tif 000009
【図８】
2004013177.tif 000010
【図９】
2004013177.tif 000011
【図１０】
2004013177.tif 000012
【図１１】
2004013177.tif 000013
【図１２】
2004013177.tif 000014
【図１３】
2004013177.tif 000015
【図１４】
2004013177.tif 000016
【図１５】
2004013177.tif 000017
【図１６】
2004013177.tif 000018
【図１７】
2004013177.tif 000019